(57)【要約】【課題】配線を容易にレイアウトすることができるとともに、薄型化を図ることができる光ピックアップ装置と、その容易な調整方法を提供する。【解決手段】各光学部品のうち少なくとも一つの光学部品を位置調整し記録媒体に対する処理光の位置を調整するピックアップ装置２０において、特に第１配線基板２２の光学部品に近接した領域の一部に孔部３８を設けることで、光学部品を完全に塞ぐことなく第１配線基板２２の配線領域３９を確保する。【選択図】      図１
2004164812.tif 000002
【特許請求の範囲】
【請求項１】
記録媒体に対して情報を記録または再生するための処理光を出射する発光素子を含む複数の光学部品と、光学部品を搭載するハウジングと、発光素子に電気的に接続される第１配線基板とを備える光ピックアップ装置であって、
各光学部品のうち少なくとも一つの光学部品は、位置調整可能に設けられ、
第１配線基板のうち、前記位置調整可能な光学部品に近接して配置される領域には、孔部が形成されることを特徴とする光ピックアップ装置。
【請求項２】
前記第１配線基板は、前記位置調整可能な光学部品の位置調整時における変位量の大きい部分に臨む部位に孔部が形成されることを特徴とする請求項１に記載の光ピックアップ装置。
【請求項３】
前記位置調整可能な光学部品と、この光学部品に隣接するハウジングとの間には隙間が形成され、第１配線基板は、前記隙間に臨む領域に孔部が形成されることを特徴とする請求項１に記載の光ピックアップ装置。
【請求項４】
第１配線基板が光学部品から離反する方向へ変位することを阻止するための押え部材をさらに備えることを特徴とする請求項１〜３のいずれかに記載の光ピックアップ装置。
【請求項５】
第１配線基板は、可撓性配線基板であることを特徴とする請求項１〜４のいずれかに記載の光ピックアップ装置。
【請求項６】
前記位置調整可能な光学部品は、発光素子を含み、
この発光素子には、記録媒体に複数位置で処理光を集光させるための回折格子が一体に設けられることを特徴とする請求項１〜５のいずれかに記載の光ピックアップ装置。
【請求項７】
回転可能に設けられ、光学部品が保持されるホルダをさらに備え、
前記光学部品は、ホルダが回転されることによって位置調整可能に構成されることを特徴とする請求項６に記載の光ピックアップ装置。
【請求項８】
前記第１配線基板に電気的に接続され、かつ、回転可能に設けられ、光学部品が実装される第２配線基板をさらに備え、
前記光学部品は、第２配線基板が回転されることによって位置調整可能に構成されることを特徴とする請求項６に記載の光ピックアップ装置。
【請求項９】
前記位置調整可能な光学部品は、受光素子を含むことを特徴とする請求項１〜８のいずれかに記載の光ピックアップ装置。
【請求項１０】
前記位置調整可能な光学部品は、発光素子と受光素子とが一体となる受発光素子であることを特徴とする請求項１〜５のいずれかに記載の光ピックアップ装置。
【請求項１１】
前記可撓性配線基板の孔部は、スリット状に形成されることを特徴とする請求項５に記載の光ピックアップ装置。
【請求項１２】
孔部は、第１配線基板の周縁部まで延びる切欠き形状に形成されることを特徴とする請求項１〜１１のいずれかに記載の光ピックアップ装置。
【請求項１３】
記録媒体に対して情報を記録または再生するための処理光を出射する発光素子を含む複数の光学部品と、光学部品を搭載するハウジングと、発光素子に電気的に接続される第１配線基板とを備える光ピックアップ装置の調整方法であって、
各光学部品のうち少なくとも一つの光学部品は位置調整可能に設けられ、
前記第１配線基板は、位置調整時における変位量の大きい部分に臨む部位に孔部が形成される配線基板であり、
前記孔部を通して外部から挿入した調整工具によって前記位置調整可能な光学部品の位置を調整することを特徴とする光ピックアップ装置の調整方法。
【請求項１４】
記録媒体に対して情報を記録または再生するための処理光を出射する発光素子を含む複数の光学部品と、光学部品を搭載するハウジングと、発光素子に電気的に接続される第１配線基板とを備える光ピックアップ装置の調整方法であって、
各光学部品のうち少なくとも一つの光学部品は位置調整可能に設けられ、
前記第１配線基板は、前記位置調整可能な光学部品と、この光学部品に隣接するハウジングとの間に形成される隙間に臨む領域に、孔部が形成される配線基板であり、
前記孔部を通して接着剤を塗布することにより、前記位置調整可能な光学部品を前記ハウジングに接着することを特徴とする光ピックアップ装置の調整方法。
【請求項１５】
記録媒体に対して情報を記録または再生するための処理光を出射する発光素子を含む複数の光学部品と、光学部品を搭載するハウジングと、発光素子に電気的に接続される第１配線基板とを備える光ピックアップ装置の調整方法であって、
各光学部品のうち少なくとも一つの光学部品は位置調整可能に設けられ、
前記第１配線基板は、前記位置調整可能な光学部品と、この光学部品に隣接するハウジングとの間に形成される隙間に臨む領域に、孔部が形成される配線基板であり、
前記孔部を通して外部から挿入した調整工具によって前記位置調整可能な光学部品の位置を調整し、前記孔部を通して接着剤を塗布することにより、前記位置調整可能な光学部品を前記ハウジングに接着することを特徴とする光ピックアップ装置の調整方法。
【発明の詳細な説明】
【０００１】
【発明の属する技術分野】
本発明は、光ディスク媒体に記録された情報を読み出したり、情報を光ディスク媒体に記録するための光ピックアップ装置に関する。
【０００２】
【従来の技術】
図１１は第１の先行技術の光ピックアップ装置１の概略的に示す斜視図であり、図１２は第１の先行技術の光ピックアップ装置１の要部の分解斜視図である。図１３は、第１の先行技術の光ピックアップ装置１に係り、回転可能な半導体レーザ２と、配線基板３および押え部材４との位置関係を示す断面図である。従来、光ピックアップ装置１において、図１１〜図１３に示すように、回折格子５と一体化した発光素子である半導体レーザ２を用いて、この光ピックアップ装置１を組立てる際に、発光素子２を回転させて光学調整を行うものがある。
【０００３】
金属製のハウジング６内に、回折格子５と一体化した半導体レーザ２、受光素子７、コリメートレンズ８、ビームスプリッタ９、立ち上げミラー１０、および対物レンズ１１を搭載したアクチュエータ１２などが搭載されている。光ピックアップ本体の厚み方向一端部には、上述した搭載部品の大部分を覆う配線基板３（フレキシブルプリント基板３とも呼ばれる）の長手方向の一端部が固着されて設けられている。
【０００４】
このフレキシブルプリント基板３の一端部の一表面部に、金属製の押え部材４が固着され、この押え部材４は、前記光ピックアップ本体からフレキシブルプリント基板３が浮上がることを防止するようになっている。フレキシブルプリント基板３の他端部は、光ピックアップ本体の厚み方向他方に配置されている。前記他端部に付設されるコネクタ部分３ａは、ドライブまたはプレーヤ側に接続される。フレキシブルプリント基板３の長手方向の略中間部は、湾曲した状態で保持されている。
【０００５】
前記半導体レーザ２から発せられた光は、順次、コリメートレンズ８、ビームスプリッタ９、立ち上げミラー１０を経由して対物レンズ１１によって、光ディスク１３の記録面部に焦点を結ぶ。この光の経路途中に回折格子５を配置することによって、１つの光線を３つに分割する。これによって光ディスク１３において、近接した３点に焦点を結ばせる。光ディスク１３の記録層には、記録マークによってデジタル情報が記録されている。前記記録マークは、反射率の差によってデジタル情報を検出可能に構成されている。
【０００６】
光ディスク１３の一表面部に一列に並ぶ３つのスポットのうち、隣接する一対のスポットの間隔は、光ディスク１３における隣接する記録マーク列の間隔、すなわちトラックピッチの１／２の値になるように予め調整しておく。したがって調整された一列に並ぶ３つのスポットのうち、中央のスポットが信号列に重なるとき、両端のスポットは、前記信号列から１／２ピッチだけずれる。
【０００７】
光ディスク１３の記録面部で反射した光は、順次、対物レンズ１１、立ち上げミラー１０、ビームスプリッタ９を経由して受光素子７に入る。ここで３つのスポットの信号を演算し、この状態を維持するようアクチュエータ１２にフィードバック信号を送り、対物レンズ１１の位置を変える。これによって、高速回転する光ディスク１３の記録信号列にスポットを追随させることができる。したがって前記記録面部で反射し受光素子７に入る光量の変化を検出することによって、光ディスク１３に記録された情報を読み取ることができる。前記ピックアップ装置１においては、分割された３つのビームをトラックピッチの間隔に合わせるには、この光ピックアップ装置１を組立てる際、たとえば回折格子５と一体化した半導体レーザ２を回転させて調整する必要がある。
【０００８】
図１４は、第２の先行技術の光ピックアップ装置１４の概略的に示す斜視図である。図１５は、第２の先行技術の光ピックアップ装置１４に係り、回転可能な半導体レーザ２Ａと、フレキシブルプリント基板１５および押え部材１６との位置関係を示す断面図である。前記光ピックアップ装置１４のフレキシブルプリント基板１５および押え部材１６においては、半導体レーザ２Ａに臨む全領域に、孔部１５ａ，１６ａが形成されている。この場合、図１３に示すようにフレキシブルプリント基板１５および押え部材１６を、半導体レーザ２Ａに近づけても、半導体レーザ２Ａをフレキシブルプリント基板１５および押え部材１６に接触することなく回転調整することができる。
【０００９】
その他、プリント基板の外形縁部をテーパ形状にすることによって、半導体レーザの回転調整時に、プリント基板がピックアップ本体からはみ出すことを防止する技術も開示されている（たとえば特許文献１参照）。
【００１０】
【特許文献１】
特開平６−２４３４７７号公報（第３頁、第２図）
【００１１】
【発明が解決しようとする課題】
近年、持ち運び可能な小形、薄形の光ディスクドライブおよび光ディスクプレーヤなどの製品化が進み、それに伴い光ディスクドライブに内蔵される光ピックアップ装置も薄形化、小形化の要求が高まっている。光ピックアップ装置を薄形化する場合、半導体レーザおよび受光素子と、フレキシブルプリント基板および押え部材との間隔をできるだけ狭める必要がある。
【００１２】
第１の先行技術の光ピックアップ装置１においては、半導体レーザ２とフレキシブルプリント基板３との間隔は、図１３に示すように、半導体レーザ２自体の寸法誤差および取り付け位置のばらつきなどを考慮した間隔に加えて、前述のような半導体レーザ２の回転調整を行う際に、図１３の１点鎖線および２点鎖線に示すように半導体レーザ２の回転角を最大にした場合でも、半導体レーザ２がフレキシブルプリント基板３と接触しないような間隔δを確保しておかねばならない。これは光ピックアップ装置の薄形化の障害となる。
【００１３】
第２の先行技術の光ピックアップ装置１４においては、図１５のようにフレキシブルプリント基板１５および押え部材１６を半導体レーザ２Ａに近づけても、半導体レーザ２Ａはフレキシブルプリント基板１５と接触することなく回転調整を行える。しかしフレキシブルプリント基板１５のうち半導体レーザ２Ａに臨む全領域に、孔部１５ａが形成されているので、フレキシブルプリント基板１５に搭載される電子部品間の配線を通すのが困難になる。
【００１４】
さらに、第１の先行技術の光ピックアップ装置１において、半導体レーザ２を回転調整する際には、半導体レーザ２が発光している状態で、調整工具を用いて半導体レーザ２Aの上下側面を保持し回転させてやる必要がある。しかし、前記のような構造のピックアップ装置１においては、半導体レーザ２Aの上側面がフレキシブルプリント基板３によって覆われているため、そのままでは調整工具を接触させることができない。調整工具を差し込むためには、図１６のように、フレキシブルプリント基板３の長手方向の一端部を持ち上げて半導体レーザ２の上下側面２ｂを一時的に露出させなければならない。この場合作業手順が複雑になり、またフレキシブルプリント基板３を持ち上げる時に無理な引っ張りや工具との接触等により破損する危険が生ずる。
【００１５】
また、調整工具により所望の回転角に調整された半導体レーザ２は、紫外線硬化樹脂等を用いてハウジングに接着固定させる必要がある。しかし、前記のような構造のピックアップ装置１４においては、図１６のようにフレキシブルプリント基板３の長手方向一端部を持ち上げ、露出した半導体レーザ２とハウジング６との隙間２ｃに紫外線硬化樹脂を塗布せねばならない。この場合も作業手順が複雑になり、特に隙間が狭く目視で確認困難な場合は塗布位置ずれや塗布量不足等の不具合が発生する恐れがある。
【００１６】
したがって本発明の目的は、配線を容易にレイアウトすることができるとともに、薄型化を図ることができる光ピックアップ装置と、その容易な調整方法を提供することである。
【００１７】
【課題を解決するための手段】
本発明は、記録媒体に対して情報を記録または再生するための処理光を出射する発光素子を含む複数の光学部品と、光学部品を搭載するハウジングと、発光素子に電気的に接続される第１配線基板とを備える光ピックアップ装置であって、
各光学部品のうち少なくとも一つの光学部品は、位置調整可能に設けられ、
第１配線基板のうち、前記位置調整可能な光学部品に近接して配置される領域には、孔部が形成されることを特徴とする光ピックアップ装置である。
【００１８】
本発明に従えば、各光学部品のうち少なくとも一つの光学部品を位置調整し記録媒体に対する処理光の位置を調整するピックアップ装置において、光学部品に近接して第１配線基板の配線領域を確保することが可能となる。特に第１配線基板の光学部品に近接した領域に孔部を設けることで、光学部品を完全に塞ぐことなく第１配線基板の配線領域を確保することができる。
【００１９】
また本発明は、前記第１配線基板は、前記位置調整可能な光学部品の位置調整時における変位量の大きい部分に臨む部位に孔部が形成されることを特徴とする。
【００２０】
本発明に従えば、第１配線基板には、前記光学部品の位置調整時における変位量の大きい部分に臨む部位にだけ、孔部が形成されているので、この光学部品を位置調整する際、変位量の大きい部分が、孔部を通過することによって第１配線基板に接触することを防止することが可能となるうえ、特に第１配線基板の配線領域を確保することが可能となる。換言すれば、第１配線基板のうち、前記変位量の大きい部分に臨む部位を除く、孔部が形成されていない領域に、配線領域を確保することが可能となる。このように前記変位量の大きい部分に臨む部位にだけ、孔部が形成されているので、第１配線基板の配線領域を確保したうえで、薄形化を図ることができる光ピックアップ装置を容易に実現することができる。
【００２１】
また本発明は、前記位置調整可能な光学部品と、この光学部品に隣接するハウジングとの間には隙間が形成され、第１配線基板は、前記隙間に臨む領域に孔部が形成されることを特徴とする。
【００２２】
本発明に従えば、前記位置調整可能な光学部品のハウジングに隣接する部分が第１配線基板に覆われておらず露出しているので、位置調整可能な光学部品とハウジングとの隙間に、この孔部を経由して位置調整後に紫外線硬化樹脂等の流動物を流し込んだり、紫外線を照射したりすることが可能になる。
【００２３】
また本発明は、第１配線基板が光学部品から離反する方向へ変位することを阻止するための押え部材をさらに備えることを特徴とする。
【００２４】
本発明に従えば、第１配線基板が光学部品から離反する方向へ不所望に変位することを、前記押え部材によって確実に阻止することができる。
【００２５】
また本発明は、第１配線基板は、可撓性配線基板であることを特徴とする。
本発明に従えば、第１配線基板は可撓性配線基板であるので、前記可撓性によって第１配線基板自体を、容易にレイアウトすることができるうえ変位させることが可能となる。このような可撓性を有する第１配線基板によって、光ピックアップ装置を移動駆動可能に構成することができる。また、仮に光学部品の変位量の大きい部分が孔部付近に接触したとしても、前記孔部付近は、第１配線基板自体の可撓性によって変形し、光学部品から第１配線基板に伝わる力を分散することができる。それ故、位置調整後の光学部品が位置ずれしないようにすることができるとともに、光ピックアップ装置の薄形化を一層図ることができる。
【００２６】
また本発明は、前記位置調整可能な光学部品は、発光素子を含み、
この発光素子には、記録媒体に複数位置で処理光を集光させるための回折格子が一体に設けられることを特徴とする。
【００２７】
本発明に従えば、前記発光素子には、記録媒体に複数位置で処理光を集光させるための回折格子が一体に設けられるので、発光素子を位置調整することによって、この発光素子に一体に設けられる回折格子も位置調整される。この回折格子の位置調整によって、記録媒体に集光させる処理光の複数位置のピッチを調整することができる。
【００２８】
また本発明は、回転可能に設けられ、光学部品が保持されるホルダをさらに備え、
前記光学部品は、ホルダが回転されることによって位置調整可能に構成されることを特徴とする。
【００２９】
本発明に従えば、ホルダが回転されることによって、光学部品は位置調整される。つまりホルダを回転させて位置調整を行うことができるので、光学部品が小さく掴みにくい形状であっても光学部品を直接掴む必要がなくなり、調整を容易に行うことができる。
【００３０】
また本発明は、前記第１配線基板に電気的に接続され、かつ、回転可能に設けられ、光学部品が実装される第２配線基板をさらに備え、
前記光学部品は、第２配線基板が回転されることによって位置調整可能に構成されることを特徴とする。
【００３１】
本発明に従えば、第２配線基板に光学部品が実装されており、第１配線基板に電気的に接続される第２配線基板が回転されることによって、光学部品を位置調整することができる。
【００３２】
また本発明は、前記位置調整可能な光学部品は、受光素子を含むことを特徴とする。
【００３３】
本発明に従えば、受光素子を位置調整することができる。この受光素子を位置調整する際、受光素子と第１配線基板とが接触することを防止することが可能となるうえ、第１配線基板の配線領域を確保することが可能となる。
【００３４】
また本発明は、前記位置調整可能な光学部品は、発光素子と受光素子とが一体となる受発光素子であることを特徴とする。
【００３５】
本発明に従えば、発光素子と受光素子とが一体となる受発光素子を、位置調整することができる。この受発光素子を位置調整する際、受発光素子と第１配線基板とが接触することを防止することが可能となるうえ、第１配線基板の配線領域を確保することが可能となる。
【００３６】
また本発明は、前記可撓性配線基板の孔部は、スリット状に形成されることを特徴とする。
【００３７】
本発明に従えば、可撓性配線基板の孔部がスリット状に形成されるので、光学部品を位置調整する際、光学部品の変位量の大きい部分は、スリット状の孔部を通過する。したがって調整対象の光学部品と可撓性配線基板との接触を極力防止することができる。仮に光学部品の変位量の大きい部分が、スリット状の孔部付近に接触したとしても、位置調整後の光学部品が位置ずれしないようにすることが可能となる。
【００３８】
また本発明は、孔部は、第１配線基板の周縁部まで延びる切欠き形状に形成されることを特徴とする。
【００３９】
本発明に従えば、光学部品を位置調整する際、光学部品の変位量の大きい部分は、第１配線基板の周縁部まで延びる切欠き形状に形成される孔部を通過する。したがって調整対象の光学部品と第１配線基板との接触を極力防止することができる。仮に光学部品の変位量の大きい部分が、切欠き形状の孔部付近に接触したとしても、位置調整後の光学部品が位置ずれしないようにすることが可能となる。
【００４０】
また本発明は、記録媒体に対して情報を記録または再生するための処理光を出射する発光素子を含む複数の光学部品と、光学部品を搭載するハウジングと、発光素子に電気的に接続される第１配線基板とを備える光ピックアップ装置の調整方法であって、
各光学部品のうち少なくとも一つの光学部品は位置調整可能に設けられ、
前記第１配線基板は、位置調整時における変位量の大きい部分に臨む部位に孔部が形成される配線基板であり、
前記孔部を通して外部から挿入した調整工具によって前記位置調整可能な光学部品の位置を調整することを特徴とする光ピックアップ装置の調整方法である。
【００４１】
本発明に従えば、孔部から差し込んだ調整工具で前記位置調整可能な光学部品を掴み、回転等の位置調整作業を行うことができる。即ち、発光素子に電気的に接続され、かつ位置調整可能な光学部品を覆っている第１配線基板を動かすことなく、前記位置調整可能な光学部品の位置を調整することができ、ピックアップの組立調整が容易になる。
【００４２】
また本発明は、記録媒体に対して情報を記録または再生するための処理光を出射する発光素子を含む複数の光学部品と、光学部品を搭載するハウジングと、発光素子に電気的に接続される第１配線基板とを備える光ピックアップ装置の調整方法であって、
各光学部品のうち少なくとも一つの光学部品は位置調整可能に設けられ、
前記第１配線基板は、前記位置調整可能な光学部品と、この光学部品に隣接するハウジングとの間に形成される隙間に臨む領域に、孔部が形成される配線基板であり、
前記孔部を通して接着剤を塗布することにより、前記位置調整可能な光学部品を前記ハウジングに接着することを特徴とする光ピックアップ装置の調整方法である。
【００４３】
本発明に従えば、発光素子に電気的に接続され、かつ位置調整可能な光学部品を覆っている第１配線基板を動かすことなく、前記位置調整可能な光学部品を前記ハウジングに接着することができ、ピックアップの組立調整が容易になる。
【００４４】
また本発明は、記録媒体に対して情報を記録または再生するための処理光を出射する発光素子を含む複数の光学部品と、光学部品を搭載するハウジングと、発光素子に電気的に接続される第１配線基板とを備える光ピックアップ装置の調整方法であって、
各光学部品のうち少なくとも一つの光学部品は位置調整可能に設けられ、
前記第１配線基板は、前記位置調整可能な光学部品と、この光学部品に隣接するハウジングとの間に形成される隙間に臨む領域に、孔部が形成される配線基板であり、
前記孔部を通して外部から挿入した調整工具によって前記位置調整可能な光学部品の位置を調整し、前記孔部を通して接着剤を塗布することにより、前記位置調整可能な光学部品を前記ハウジングに接着することを特徴とする光ピックアップ装置の調整方法である。
【００４５】
本発明に従えば、孔部を通して外部から挿入した調整工具によって前記位置調整可能な光学部品の位置を調整したうえで、前記孔部を通して接着剤を塗布することにより、前記位置調整可能な光学部品を前記ハウジングに接着することができる。このようにピックアップの組立調整を容易にすることができる。
【００４６】
【発明の実施の形態】
図１は、本発明の実施形態における光ピックアップ装置２０を概略的に示す斜視図である。図２は、光ピックアップ装置２０の要部を示す分解斜視図である。図３は、回転可能な半導体レーザ２１と、第１配線基板２２および押え部材２３との位置関係を示す断面図である。図４は、記録媒体２４に照射された光ピックアップ装置からの３つの光スポット２５の位置関係を、記録媒体２４の厚み方向一方に見て示す正面図である。本実施の形態の光ピックアップ装置２０は、たとえば光ディスクドライブなどに内蔵される。
【００４７】
光ピックアップ装置２０は、主に、光ピックアップ本体２６と、この光ピックアップ本体２６の半導体レーザ２１に電気的に接続される第１配線基板２２と、後述する押え部材２３とを有する。光ピックアップ本体２６は、ハウジング２７と、このハウジング２７に搭載される複数の光学部品とで構成されている。ハウジング２７は、一方に開放する矩形函体状に形成されるとともに、その底部２７ａが厚み方向に見てほぼ長方形状に形成されている。用語「ほぼ長方形状」は、長方形状を含む。ピックアップが前記ハウジング２７の長方形状の短辺側である一側壁部２８の長手方向中間付近部は、発光素子としての半導体レーザ２１を位置調整可能に切欠き形成されている。つまり一側壁部２８の長手方向中間付近部に、後述する半導体レーザ２１が配置されて位置調整可能に構成されている。前記一側壁部２８のうち半導体レーザ２１に臨む一対の壁面部分２８ａ，２８ｂは、半導体レーザ２１にそれぞれ所定間隔を空けて形成されるとともに、半導体レーザ２１に臨んで凹む湾曲形状に形成されている。
【００４８】
ハウジング２７の一側壁部２８に直角に隣接する長辺側壁部２９において、その長手方向中間付近部は、後述する受光素子３０を位置調整可能に切欠き形成されている。つまり長辺側壁部２９の長手方向中間付近部に、後述する受光素子３０が配置されて位置調整可能に構成されている。以下、半導体レーザ２１の出射光の光軸方向をｘ方向、ハウジング底面内でｘに直交する方向をｙ方向、ｘ方向およびｙ方向に直交する方向をｚ方向とする。
【００４９】
ハウジング２７に搭載される複数の光学部品は、前記半導体レーザ２１と、受光素子３０と、回折格子３１と、コリメートレンズ３２と、ビームスプリッタ３３と、立ち上げミラー３４と、対物レンズ３５と、アクチュエータ３６とを備えている。半導体レーザ２１は長方形状に形成され、そのハウジング２７内に臨む一表面部には、半導体レーザ２１から出射された処理光を３つに分割するための回折格子３１であって、後述する光ディスク２４に３つの位置で処理光を集光させるための回折格子３１が一体に設けられている。ハウジング２７の底部２７ａにおいて、半導体レーザ２１の発光方向一方には、順次、コリメートレンズ３２、ビームスプリッタ３３、立ち上げミラー３４を介してアクチュエータ３６が配置されている。
【００５０】
アクチュエータ３６は、内部に異なる向きに配置された複数のコイルおよび磁石を備えたアクチュエータ本体３６ａと、コイルと第１配線基板２２とを電気的に接続するためのワイヤ３６ｂおよびアクチュエータ配線基板３６ｃを備えている。対物レンズはアクチュエータ本体３６ａ内の磁石は、コイルに電流を流し磁界を発生させることによりｙ方向およびｚ方向に移動可能になるように配置されており、その一端に対物レンズ３５が固着されている。すなわち対物レンズ３５はアクチュエータ３６によってｙ方向およびｚ方向に移動可能に構成されている。対物レンズ３５に臨むピックアップ本体２６のｚ方向一方には、記録媒体としての光ディスク２４が配設つまり配置して設けられる。
【００５１】
前記光ディスクドライブには、光ディスク２４がｚ方向向きの軸線回りに回転可能に配設されている。この光ディスク２４の記録層には、記録マークによってデジタル情報が記録されている。前記記録マークは、反射率の差によってデジタル情報、たとえば音声画像情報および文字情報などを検出可能に構成されている。半導体レーザ２１から回折格子３１を介してｘ方向つまりコリメートレンズ３２に向けて出射された３つの処理光（以下、単に光という場合がある）は、コリメートレンズ３２によって平行光に変換される。変換された平行光は、ビームスプリッタ３３を経由して立ち上げミラー３４に導かれた後、この立ち上げミラー３４によってｚ方向向きに反射される。反射された平行光は、対物レンズ３５によって光ディスク２４の一表面部に一列に並ぶ３つの光スポット２５として集光される構造になっている。
【００５２】
光ディスク２４の一表面部に一列に並ぶ３つの光スポット２５のうち、隣接する一対の光スポット２５の間隔は、光ディスク２４における隣接する記録マーク列２４ａの間隔、すなわちトラックピッチの１／２の値になるように予め調整しておく。したがって調整された一列に並ぶ３つの光スポット２５のうち、中央の光スポット２５が記録マーク列２４ａに重なるとき、両端の光スポット２５は、前記記録マーク列２４ａからトラックピッチの１／２ピッチだけずれる。
【００５３】
前記受光素子３０は、光ディスク２４からの反射光を検出する機能を有する。すなわち前記反射光は、順次、対物レンズ３５、立ち上げミラー３４、ビームスプリッタ３３を経由して受光素子３０に入る。ここで３つの光スポット２５の信号を演算し、この状態を維持するようアクチュエータ３６にフィードバック信号を送り、対物レンズ３５を移動駆動する。つまり光ディスク２４に対して、対物レンズ３５の相対位置が変更され、これによって、高速回転する光ディスク２４の記録信号列に光スポット２５を追従させることができる。したがって光ディスク２４の記録面部で反射し受光素子３０に入る光量の変化を検出することによって、光ディスク２４に記録された情報を読み取ることができる。光ピックアップ装置２０において、分割された３つの光スポット２５を前記トラックピッチの間隔に合わせるには、この光ピックアップ装置２０を組立てる際、回折格子３１と一体化した半導体レーザ２１を、ｘ方向に平行な軸線方向回りに回転させて調整する必要がある。
【００５４】
光ピックアップ本体２６の厚み方向一端部には、上述した光学部品の大部分を覆い、かつこれら光学部品に近接して、第１配線基板２２（第１フレキシブルプリント基板２２と呼ぶ場合がある）の長手方向の一端部２２ａが固着されて設けられている。第１配線基板２２は、電気回路を形成する銅箔をポリイミド等の高分子材料を用いたフィルムで挟み接着した構造の薄板状の可撓性配線基板であり、この第１配線基板２２の他端部２２ｂは、光ピックアップ本体２６の厚み方向他方に配置されている。前記第１配線基板２２の他端部２２ｂに付設されるコネクタ部分３７は、図示外の光ディスクドライブ側に接続される。第１配線基板２２の長手方向の略中間部２２ｃは、湾曲した状態で保持されている。
【００５５】
第１配線基板２２の一端部２２ａの一表面部には、ステンレス等の薄鋼板を用いてプレス加工により形成した押え部材２３が固着されている。この押え部材２３は、複数の光学部品すなわちピックアップ本体２６から第１配線基板２２が離反する方向へ変位することを阻止するようになっている。押え部材２３は、その厚み方向つまりｚ方向に見て、ピックアップ本体２６のアクチュエータ３６付近を除き略全体を覆う薄板状に形成されている。押え部材２３の一側縁部には、ｚ方向一方に延びる押さえ爪２３ａが付設されている。たとえば前記一側縁部に隣接する押え部材２３の一側縁部にも、ｚ方向一方に延びる図示外の押さえ爪が付設されている。また、たとえば図示外のこれら押さえ爪２３ａは、それぞれ、ハウジング２７の長辺側の壁面部およびハウジング２７の短辺側の壁面部に設けられた凹凸に勘合する状態で保持される。このように押え部材２３に付設された押さえ爪２３ａによって、光ピックアップ本体２６と、第１配線基板２２の一端部２２ａと、押え部材２３との相対位置であって、ｚ方向に垂直な仮想平面における相対位置が一義的に決定される。また、たとえば押さえ爪２３ａの代わりにハウジング２７および押え部材２３に数箇所のビス孔を設け、ビスで締結することにより押え部材２３をハウジング２７に固定する方法でも構わない。
【００５６】
第１配線基板２２は、前記位置調整可能な半導体レーザ２１の位置調整時における変位量の大きい部分２１ａ，２１ｂに臨む領域にだけ、孔部３８が形成されている。各孔部３８はｚ方向に見て楕円形状に形成されるとともに、この楕円の長軸はｘ方向向きに配置されている。第１配線基板２２には、前記半導体レーザ２１の位置調整時における変位量の大きい部分２１ａ，２１ｂに臨む領域にだけ、孔部３８が形成されているので、この半導体レーザ２１を位置調整する際、変位量の大きい部分２１ａ，２１ｂが、孔部３８を通過することによって第１配線基板２２に接触することを防止することが可能となるうえ、特に、第１配線基板２２の配線領域３９を確保することが可能となる。
【００５７】
換言すれば、第１配線基板２２のうち、前記変位量の大きい部分２１ａ，２１ｂに臨む領域を除く、孔部３８が形成されていない領域に、配線領域３９を確保することが可能となる。仮に半導体レーザ２１の変位量の大きい部分２１ａ，２１ｂが、孔部３８付近に接触したとしても、位置調整後の半導体レーザ２１が位置ずれしないようにすることが可能となる。このように前記変位量の大きい部分２１ａ，２１ｂに臨む領域にだけ、孔部３８が形成されているので、第１配線基板２２の配線領域３９を確保したうえで、前記従来技術に比べて、薄形化を図ることができる光ピックアップ装置２０を容易に実現することができる。
【００５８】
押え部材２３には、第１配線基板２２の２つの孔部３８に臨む位置に、２つの孔部４０がそれぞれ対応して形成されている。各孔部４０はｚ方向に見て楕円形状に形成されるとともに、この楕円の長軸はｙ方向向きに配置されている。また、ｙ方向向きに配置される楕円の長軸は、第１配線基板２２の孔部３８の長軸長さのたとえば約２倍の長さに形成され、楕円の短軸は、第１配線基板２２の孔部３８の長軸長さと同程度の長さになるように形成されている。ガイド片２３ａによって、光ピックアップ本体２６と、第１配線基板２２の一端部２２ａと、押え部材２３とのｚ方向に垂直な仮想平面における相対位置が一義的に決定されるので、一対の孔部３８と、一対の押え部材２３の孔部４０とは、前記仮想平面内においてそれぞれ略同一座標に簡単に配置される。本実施形態において、用語「略同一座標」は同一座標を含んでいる。
【００５９】
このように孔部４０の楕円の長軸が、第１配線基板２２の孔部３８の長軸長さの約２倍の長さに形成され、前記楕円の短軸は、第１配線基板２２の孔部３８の長軸長さと同程度の長さになるように形成されているので、仮に第１配線基板２２に対して、押え部材２３がｙ方向に関して多少ずれて配置されたとしても、そのずれ量を前記楕円の長軸でもって許容することができる。したがって押え部材２３の孔部４０は、少なくとも第１配線基板２２の孔部３８よりも大きく形成されており、半導体レーザ２１を位置調整する際、変位量の大きい部分２１ａ，２１ｂが、孔部３８および孔部４０を通過することによって、第１配線基板２２および押え部材２３に接触することを防止することが可能となる。
【００６０】
以上説明した光ピックアップ装置２０によれば、第１配線基板２２には、半導体レーザ２１の位置調整時における変位量の大きい部分２１ａ，２１ｂに臨む領域にだけ、孔部３８が形成されており、押え部材２３の孔部４０は、孔部３８と略同一座標でかつ少なくとも孔部３８よりも大きく形成されているので、この半導体レーザ２１をｘ方向に平行な軸線方向まわりに位置調整する際、少なくとも前記変位量の大きい部分２１ａ，２１ｂは第１配線基板２２の孔部３８および押え部材２３の孔部４０を通過する。つまり半導体レーザ２１と第１配線基板２２とが接触しなくなるので、図３に示すように、第１配線基板２２および押え部材２３を、光ピックアップ本体２６に対してｚ方向に近づけて配置することができる。
【００６１】
仮に、第１配線基板２２の孔部３８付近に、半導体レーザ２１の変位量の大きい部分２１ａ，２１ｂが接触したとしても、第１配線基板２２自体の可撓性によって、第１配線基板２２の孔部３８付近は弾性変形する。これによって半導体レーザ２１から第１配線基板２２に伝わる力を分散することができる。このとき、押え部材２３の孔部４０が、孔部３８と略同一座標でかつ少なくとも孔部３８よりも大きく形成されているので、第１配線基板２２よりも剛性の高い前記金属製の押え部材２３に対して、半導体レーザ２１の変位量の大きい部分２１ａ，２１ｂが接触することは皆無となる。それ故、位置調整後の半導体レーザ２１が位置ずれしないようにすることができる。しかも第１配線基板２２のうち、前記変位量の大きい部分２１ａ，２１ｂに臨む領域を除く、孔部３８が形成されていない領域に、配線領域３９を確保することが可能となる。このように前記変位量の大きい部分２１ａ，２１ｂに臨む領域にだけ、孔部３８が形成されているので、第１配線基板２２の配線領域３９を確保したうえで、薄形化を図ることができる光ピックアップ装置２０を容易に実現することができる。
【００６２】
孔部３８の大きさは、２つの孔部３８の間およびその周囲において、必要な配線領域３９の大きさから決める。すなわち配線領域３９を極力大きく確保する必要がある場合には、孔部３８の大きさを、前記変位量の大きい部分２１ａ，２１ｂの最大変位点が逃がせるだけの最小値にする。配線領域３９が小さくてもよい場合には、孔部３８を大きく形成することで、第１配線基板２２および押え部材２３を、光ピックアップ本体２６に対してｚ方向に一層近づけて配置することができる。それ故、光ピックアップ装置２０の薄形化を一層図ることができる。
【００６３】
ピックアップ本体２６から第１配線基板２２が離反する方向へ変位することを阻止するための押え部材２３を設けたので、第１配線基板２２が複数の光学部品から離反する方向へ不所望に変位することを、押え部材２３によって確実に阻止することができる。換言すれば、第１配線基板２２のピックアップ本体２６からの浮き上がりを確実に阻止することができる。第１配線基板２２は可撓性配線基板であるので、前記可撓性によって第１配線基板２２自体を、容易にレイアウトすることができるうえ変位させることが可能となる。このような可撓性を有する第１配線基板２２によって、光ピックアップ装置２０を移動駆動可能に構成することができる。
【００６４】
半導体レーザ２１には、光ディスク２４に複数位置で処理光を集光させるための回折格子３１が一体に設けられるので、半導体レーザ２１を位置調整することによって、この半導体レーザ２１に一体に設けられる回折格子３１も位置調整される。この回折格子３１の位置調整によって、光ディスク２４に集光させる処理光の複数位置のピッチを調整することができる。
【００６５】
図５は、本発明の実施形態を部分的に変更した変更形態に係り、第１配線基板２２の孔部がスリット状に形成された場合の光ピックアップ装置２０Ａの斜視図である。ただし前記実施形態と同一の部材には同一の符号を付し、その詳細な説明は省略する。第１配線基板２２のうち、半導体レーザ２１の位置調整時における変位量の大きい部分２１ａ，２１ｂ（図３参照）に臨む領域にだけ、スリット状の孔部４１が形成されている。各孔部４１は、ｘ方向と平行な方向に沿って伸びるスリット状に形成され、かつ、押え部材２３の孔部４０の短軸と略同一寸法に形成されている。本実施形態において、用語「略同一寸法」は同一寸法を含む。
【００６６】
孔部４１のｘ方向両端部分４１ａ，４１ｂは、それぞれｚ方向に見て丸孔状に形成されている。それ故、仮に半導体レーザ２１の変位量の大きい部分２１ａ，２１ｂが、孔部４１付近に接触したとしても、ｘ方向両端部分４１ａ，４１ｂに作用する応力集中を軽減することができる。このように孔部４１のｘ方向両端部分４１ａ，４１ｂに作用する応力集中を軽減することができるので、配線基板２２が不所望に破断することを防止することができる。
【００６７】
本変更形態によれば、第１配線基板２２のうち、半導体レーザ２１の位置調整時における変位量の大きい部分２１ａ，２１ｂに臨む領域にだけ、ｘ方向に沿って伸びるスリット状の孔部４１が形成されているので、特に、第１配線基板２２の配線領域３９Ａを、前記実施形態の配線領域３９よりも格段に大きく確保することが可能となる。その他前記実施と略同様の効果を奏する。
【００６８】
図６は、本発明の実施形態を部分的に変更した変更形態に係り、第１配線基板２２の孔部が切欠き形状に形成された場合の光ピックアップ装置２０Ｂの斜視図である。ただし前記実施形態と同一の部材には同一の符号を付し、その詳細な説明は省略する。第１配線基板２２のうち、半導体レーザ２１の位置調整時における変位量の大きい部分２１ａ，２１ｂに臨む領域にだけ、切欠き形状の孔部４２が形成されている。各孔部４２は、押え部材２３の孔部４０に対応する位置から、第１配線基板２２の周縁部２２ｄまで延びる切欠き形状に形成されている。
【００６９】
以上説明したように、本変更形態によれば、特に第１配線基板２２の孔部４２が、第１配線基板２２の周縁部２２ｄまで延びる切欠き形状に形成されているので、仮に光学部品の変位量の大きい部分が、孔部４２付近に接触したとしても、第１配線基板２２自体の可撓性によって第１配線基板２２の周縁部までより広く緩やかに変形し、光学部品から第１配線基板２２に伝わる力を、切り欠き形状にしない場合より広く分散することができる。それ故、位置調整後の光学部品が位置ずれしないようにすることができる。その他光ピックアップ装置２０と同様の効果を奏する。
【００７０】
図７は、本発明の別実施形態に係り、第１配線基板２２Ａに電気的に接続され、かつ、回転可能に設けられ、光学部品が実装される第２配線基板４３をさらに備えた光ピックアップ装置２０Ｃの分解斜視図である。図８は、第２配線基板４３および半導体レーザ２１の部分拡大図であり、図８（ａ）は第２配線基板４３および半導体レーザ２１の斜視図、図８（ｂ）は第２配線基板４３をｘ方向一方に見て示す正面図、図８（ｃ）は第２配線基板４３および半導体レーザ２１を、ｙ方向に垂直な仮想平面で切断して示す断面図である。ただし前記実施形態と同一の部材には同一の符号を付し、その詳細な説明は省略する。
【００７１】
光ピックアップ装置２０Ｃは、主に、光ピックアップ本体２６と、この光ピックアップ本体２６に電気的に接続される第１配線基板２２Ａと、第２配線基板４３と、押え部材２３とを有する。前記第２配線基板４３は、接続部２２ｅを介して第１配線基板２２Ａに電気的に接続されている。この第２配線基板４３は、ｘ方向に見て長方形状に形成され、第２配線基板４３は、光学部品である半導体レーザ２１の一表面部２１ｃに臨んで一定間隔をあけて配置されている。
【００７２】
この第２配線基板４３に、複数の接続端子４４がｘ方向に貫通状に付設され、これら接続端子４４のｘ方向一端部に半導体レーザ２１が実装されている。第１配線基板２２Ａに電気的に接続される第２配線基板４３は、ｘ方向に平行な軸線方向回りに回転可能に構成され、したがって第２配線基板に実装される半導体レーザ２１は、第２配線基板４３が回転されることによって位置調整される。その他前記実施形態と同様の効果を奏する。
【００７３】
図９は、本発明の実施形態を部分的に変更した第４の実施形態に係り、位置調整可能な半導体レーザ２１の位置調整時における変位量の大きい部分に臨む領域２１ａ、２１ｂに加え、ハウジング２７に隣接する部分に臨む領域２１ｄ、２１ｅをも含んだ形でフレキシブルプリント基板２２の孔部５０が設けられている場合を示す断面図である。
【００７４】
フレキシブルプリント基板２２の孔部５０を通して半導体レーザ２１の外形の一部が露出しているため、回転調整時にフレキシブルプリント基板２２に触れることなく半導体レーザ２２を掴んで動かし、かつ接着固定することが可能である。
【００７５】
図１０は回転調整の際に用いる調整工具５１の正面図および側面図である。金属製の２本の長い板が根元で繋がったような形状をしており、その端部５１ａおよび５１ｂには半導体レーザを掴むための爪状の突起が各２個付属している。端部５１ａは、フレキシブルプリント基板２２を逃がすために短部５１ｂよりも突起の内側が深くえぐられている。調整ねじ５１ｃを回転させることにより、端部５１ｂに対し５１ａがＺＺ方向に移動し、両者の間隔を変えることができる。また調整工具５１に取り付けられた図示していないゴニオ・ステージを動かすことにより、端部５１ａおよび５１ｂをθ方向に回転させることができる。
【００７６】
回転調整時には、まず調整工具の端部５１ｂを差し込み、突起を半導体レーザ２１に接触させ、次に調整ねじ５１ｃを回転させて端部５１ａを近づけ、孔部５０から露出している半導体レーザ２１に接触させる。半導体レーザ２２を掴んで所望の位置に回転させた後、調整工具５１をそのまま保持しておき、孔部５０からディスペンサーを用いて紫外線硬化樹脂を半導体レーザ２１とハウジング２７との隙間に塗布する。さらに孔部５０からＺｃ方向に紫外線を照射し、塗布した樹脂を硬化させる。樹脂の硬化後に調整工具５１を外すと、半導体レーザは所望の回転角を保ったまま固定されていることになる。
【００７７】
以上のように、本変更形態によれば、半導体レーザ２１を覆うフレキシブルプリント基板２２を何ら移動させることなく、半導体レーザ２１の回転調整および調整後の固定を実施することができる。作業はすべてフレキシブルプリント基板の孔部５０を通して厚み方向上方から確認しながら容易に行うことができる。
【００７８】
本発明の実施の他の形態として、押え部材２３の孔部４０を、第１配線基板２２の孔部３８の大きさと同一にしたうえで、これら孔部４０，３８を、ｚ方向に垂直な仮想平面内において同一座標に配置してもよい。押え部材２３の孔部と、第１配線基板２２の孔部とを、必ずしも同じ大きさにする必要はない。
【００７９】
上述した実施形態においては、半導体レーザのｚ方向一方を、第１配線基板および押え部材が完全に覆っているので、第１配線基板および押え部材に、半導体レーザの前記変位量の大きい部分に臨む領域に対応する１対の孔部を形成したが、半導体レーザのｙ方向に関する片側部分のみを、第１配線基板および押え部材が覆うように構成してもよい。この場合には、第１配線基板および押え部材に、前記１対の孔部を形成する必要はなく、それぞれ一つの孔部を形成するだけでよい。したがって、孔部の形成に伴う第１配線基板の製作コストを低減することが可能となるだけでなく、第１配線基板の配線領域を一層広くすることができる。
【００８０】
光ピックアップ装置の組立時に、半導体レーザ以外の光学部品を回転させて位置調整する場合にも、本発明を応用させることが可能である。たとえば、半導体レーザをホルダに取り付け、ホルダを回転調整可能に構成してもよい。半導体レーザと受光素子とが一体化したホログラムレーザを回転可能に構成してもよい。また受光素子を回転可能に構成してもよい。これら光学部品を回転させて位置調整する場合にも、回転調整する光学部品を覆う第１配線基板および押え部材に、前記実施形態と略同様の孔部を設けることで、前記実施形態と同様の効果を奏する。その他前記実施形態に、特許請求の範囲を逸脱しない範囲において種々の部分的変更を行う場合もある。
【００８１】
【発明の効果】
以上のように本発明によれば、各光学部品のうち少なくとも一つの光学部品を位置調整し記録媒体に対する処理光の位置を調整するピックアップ装置において、光学部品に近接して第１配線基板の配線領域を確保することが可能となる。特に第１配線基板の光学部品に近接した領域に孔部を設けることで、光学部品を完全に塞ぐことなく第１配線基板の配線領域を確保することができる。
【００８２】
また本発明によれば、第１配線基板には、前記光学部品の位置調整時における変位量の大きい部分に臨む部位にだけ、孔部が形成されているので、この光学部品を位置調整する際、変位量の大きい部分が、孔部を通過することによって第１配線基板に接触することを防止することが可能となるうえ、特に第１配線基板の配線領域を確保することが可能となる。換言すれば、第１配線基板のうち、前記変位量の大きい部分に臨む部位を除く、孔部が形成されていない領域に、配線領域を確保することが可能となる。このように前記変位量の大きい部分に臨む領域にだけ、孔部が形成されているので、第１配線基板の配線領域を確保したうえで、薄形化を図ることができる光ピックアップ装置を容易に実現することができる。
【００８３】
また本発明によれば、前記位置調整可能な光学部品のハウジングに隣接する部分が第１配線基板に覆われておらず露出しているので、位置調整可能な光学部品とハウジングとの隙間に、この孔部を経由して位置調整後に紫外線硬化樹脂等の流動物を流し込んだり、紫外線を照射したりすることが可能になる。
【００８４】
また本発明によれば、第１配線基板が光学部品から離反する方向へ不所望に変位することを、前記押え部材によって確実に阻止することができる。
【００８５】
また本発明によれば、第１配線基板は可撓性配線基板であるので、前記可撓性によって第１配線基板自体を、容易にレイアウトすることができるうえ変位させることが可能となる。このような可撓性を有する第１配線基板によって、光ピックアップ装置を移動駆動可能に構成することができる。また、仮に光学部品の変位量の大きい部分が孔部付近に接触したとしても、前記孔部付近は、第１配線基板自体の可撓性によって変形し、光学部品から第１配線基板に伝わる力を分散することができる。それ故、位置調整後の光学部品が位置ずれしないようにすることができるとともに、光ピックアップ装置の薄形化を一層図ることができる。
【００８６】
また本発明によれば、前記発光素子には、記録媒体に複数位置で処理光を集光させるための回折格子が一体に設けられるので、発光素子を位置調整することによって、この発光素子に一体に設けられる回折格子も位置調整される。この回折格子の位置調整によって、記録媒体に集光させる処理光の複数位置のピッチを調整することができる。
【００８７】
また本発明によれば、ホルダが回転されることによって、光学部品は位置調整される。つまり光学部品が保持されるホルダを回転することで、光学部品を位置調整することができるので、光学部品が小さく掴みにくい形状であっても光学部品を直接掴む必要がなくなり、調整を容易に行うことができる。
【００８８】
また本発明によれば、第２配線基板に光学部品が実装されており、第１配線基板に電気的に接続される第２配線基板が回転されることによって、光学部品を位置調整することができる。
【００８９】
また本発明によれば、受光素子を位置調整することができる。この受光素子を位置調整する際、受光素子と第１配線基板とが接触することを防止することが可能となるうえ、第１配線基板の配線領域を確保することが可能となる。
【００９０】
また本発明によれば、発光素子と受光素子とが一体となる受発光素子を、位置調整することができる。この受発光素子を位置調整する際、受発光素子と第１配線基板とが接触することを防止することが可能となるうえ、第１配線基板の配線領域を確保することが可能となる。
【００９１】
また本発明によれば、可撓性配線基板の孔部がスリット状に形成されるので、光学部品を位置調整する際、光学部品の変位量の大きい部分は、スリット状の孔部を通過する。したがって調整対象の光学部品と可撓性配線基板との接触を極力防止することができる。仮に光学部品の変位量の大きい部分が、スリット状の孔部付近に接触したとしても、位置調整後の光学部品が位置ずれしないようにすることが可能となる。
【００９２】
また本発明によれば、光学部品を位置調整する際、光学部品の変位量の大きい部分は、第１配線基板の周縁部まで延びる切欠き形状に形成される孔部を通過する。したがって調整対象の光学部品と第１配線基板との接触を極力防止することができる。仮に光学部品の変位量の大きい部分が、切欠き形状の孔部付近に接触したとしても、位置調整後の光学部品が位置ずれしないようにすることが可能となる。
【００９３】
また本発明によれば、孔部から差し込んだ調整工具で前記位置調整可能な光学部品を掴み、回転等の位置調整作業を行うことができる。即ち、発光素子に電気的に接続され、かつ位置調整可能な光学部品を覆っている第１配線基板を動かすことなく、前記位置調整可能な光学部品の位置を調整することができ、ピックアップの組立調整が容易になる。
【００９４】
また本発明によれば、発光素子に電気的に接続され、かつ位置調整可能な光学部品を覆っている第１配線基板を動かすことなく、前記位置調整可能な光学部品を前記ハウジングに接着することができ、ピックアップの組立調整が容易になる。
【００９５】
また本発明によれば、孔部を通して外部から挿入した調整工具によって前記位置調整可能な光学部品の位置を調整したうえで、前記孔部を通して接着剤を塗布することにより、前記位置調整可能な光学部品を前記ハウジングに接着することができる。このようにピックアップの組立調整を容易にすることができる。
【図面の簡単な説明】
【図１】本発明の実施形態における光ピックアップ装置２０の概略的に示す斜視図である。
【図２】光ピックアップ装置２０の要部を示す分解斜視図である。
【図３】回転可能な半導体レーザ２１と、第１配線基板２２および押え部材２３との位置関係を示す断面図である。
【図４】記録媒体２４に照射された光ピックアップ装置２０からの３つの光スポット２５の位置関係を、記録媒体２４の厚み方向一方に見て示す正面図である。
【図５】本発明の実施形態を部分的に変更した変更形態に係り、第１配線基板２２の孔部がスリット状に形成された場合の光ピックアップ装置２０Ａの斜視図である。
【図６】本発明の実施形態を部分的に変更した変更形態に係り、第１配線基板２２の孔部が切欠き形状に形成された場合の光ピックアップ装置２０Ｂの斜視図である。
【図７】本発明の別実施形態に係り、第１配線基板２２Ａに電気的に接続され、かつ、回転可能に設けられ、光学部品が実装される第２配線基板４３をさらに備えた光ピックアップ装置２０Ｃの分解斜視図である。
【図８】第２配線基板４３および半導体レーザ２１の部分拡大図であり、図８（ａ）は第２配線基板４３および半導体レーザ２１の斜視図、図８（ｂ）は第２配線基板４３をｘ方向一方に見て示す正面図、図８（ｃ）は第２配線基板４３および半導体レーザ２１を、ｙ方向に垂直な仮想平面で切断して示す断面図である。
【図９】本発明の実施形態を部分的に変更した第４の実施形態に係り、半導体レーザ２１とフレキシブルプリント基板２２および調整工具５１の位置関係を示す断面図である。
【図１０】調整工具５１の正面図および側面図である。
【図１１】第１の先行技術の光ピックアップ装置１の概略的に示す斜視図である。
【図１２】第１の先行技術の光ピックアップ装置１の要部の分解斜視図である。
【図１３】第１の先行技術の光ピックアップ装置１に係り、回転可能な半導体レーザ２と、配線基板３および押え部材４との位置関係を示す断面図である。
【図１４】第２の先行技術の光ピックアップ装置１４を概略的に示す斜視図である。
【図１５】第２の先行技術の光ピックアップ装置１４に係り、回転可能な半導体レーザ２Ａと、フレキシブルプリント基板１５および押え部材１６との位置関係を示す断面図である。
【図１６】第１の先行技術の光ピックアップ装置１において、半導体レーザ２の位置調整時にフレキシブルプリント基板３を持ち上げる必要があることを示す概略図である。
【符号の説明】
２０  光ピックアップ装置
２１  半導体レーザ
２２  第１配線基板
２３  押え部材
２４  光ディスク
３０  受光素子
３１  回折格子
３８  孔部
４１  スリット状の孔部
４２  切欠き形状の孔部
４３  第２配線基板
５０  ハウジング２７に隣接する部分に臨む領域２１ｄ、２１ｅをも含む孔部
５１  調整工具
【図１】
2004164812.tif 000003
【図２】
2004164812.tif 000004
【図３】
2004164812.tif 000005
【図４】
2004164812.tif 000006
【図５】
2004164812.tif 000007
【図６】
2004164812.tif 000008
【図７】
2004164812.tif 000009
【図８】
2004164812.tif 000010
【図９】
2004164812.tif 000011
【図１０】
2004164812.tif 000012
【図１１】
2004164812.tif 000013
【図１２】
2004164812.tif 000014
【図１３】
2004164812.tif 000015
【図１４】
2004164812.tif 000016
【図１５】
2004164812.tif 000017
【図１６】
2004164812.tif 000018